(57)【要約】【課題】電子メールによる通信機能を有する移動通信端末装置において、電子メールの通信文の作成の際に使用する辞書であって、移動通信端末装置の使用者が所望する辞書を容易に新たに追加することを可能にする。【解決手段】音声通話を行う機能と、ネットワークを介してデータをダウンロードする機能と、電子メールによる通信を行う機能とを有する移動通信端末装置であって、移動通信端末装置１０は第一メモリ２１及び第二メモリ２２を備えており、移動通信端末装置１０はダウンロードした辞書データを第一メモリ２１に記憶し、電子メールの作成時には、辞書データを第二メモリ２２に複製し、第二メモリ２２に記憶された辞書データを用いる。【選択図】　　図１
2004005006.tif 000002
【特許請求の範囲】
【請求項１】
音声通話を行う機能と、他の媒体から情報を入力する機能と、電子メールによる通信を行う機能とを有する移動通信端末装置であって、
前記移動通信端末装置は第一メモリ及び第二メモリを備えており、
前記移動通信端末装置は前記他の媒体から入力した辞書データを前記第一メモリに記憶し、文字編集時には、前記辞書データを前記第二メモリに複製し、前記第二メモリに記憶された前記辞書データを用いるものである移動通信端末装置。
【請求項２】
前記他の媒体はネットワークであり、前記移動通信端末装置は前記ネットワークからファイルまたはデータをダウンロードし、それらのファイルまたはデータを前記第一メモリに記憶するものであることを特徴とする請求項１に記載の移動通信端末装置。
【請求項３】
前記他の媒体は記憶媒体であり、前記移動通信端末装置は前記記憶媒体からファイルまたはデータを複製し、それらのファイルまたはデータを前記第一メモリに記憶するものであることを特徴とする請求項１に記載の移動通信端末装置。
【請求項４】
前記第一メモリに記憶された前記辞書データは、前記移動通信端末装置の使用者が前記辞書データの利用の設定を行ったときに、前記第二メモリに複製されることを特徴とする請求項１乃至３の何れか一項に記載の移動通信端末装置。
【請求項５】
前記辞書データが不要になった場合には、前記利用の設定を解除することにより、前記辞書データは前記第二メモリから削除され、前記第一メモリにのみ残ることを特徴とする請求項４に記載の移動通信端末装置。
【請求項６】
文字編集時に使用する辞書データを移動通信端末装置に入力する方法であって、
入力しようとするデータが辞書データとして正しいか否かを判定する第一の過程と、
前記辞書データを記憶させるための容量を第一メモリ内に確保できるか否かを判定する第二の過程と、
前記データが辞書データとして正しいものであり、かつ、前記辞書データを記憶させるための容量を前記第一メモリ内に確保できる場合には、前記辞書データを前記移動通信端末装置に入力し、前記辞書データを前記第一メモリ内に記憶させる第三の過程と、
前記辞書データを記憶させるための容量を第二メモリ内に確保できるか否かを判定する第四の過程と、
前記辞書データを記憶させるための容量を前記第二メモリ内に確保できる場合には、前記辞書データを前記第二メモリ内に記憶させる第五の過程と、
を備え、
文字編集時には、前記第二メモリに記憶された前記辞書データを用いるものである方法。
【請求項７】
前記第三の過程における前記辞書データの前記移動通信端末装置への入力は、前記辞書データをネットワークからダウンロードすることにより行われるものであることを特徴とする請求項６に記載の方法。
【請求項８】
前記第三の過程における前記辞書データの前記移動通信端末装置への入力は、前記辞書データを記憶媒体から複製することにより行われるものであることを特徴とする請求項６に記載の方法。
【請求項９】
前記辞書データの前記第二メモリ内への記憶は、前記移動通信端末装置の使用者が前記辞書データの利用の設定を行った場合にのみ、行われるものであることを特徴とする請求項６乃至８の何れか一項に記載の方法。
【請求項１０】
前記辞書データが不要になった場合には、前記利用の設定を解除することにより、前記辞書データは前記第二メモリから削除され、前記第一メモリにのみ残ることを特徴とする請求項９に記載の方法。
【発明の詳細な説明】
【０００１】
【発明の属する技術分野】
本発明は、電子メールによる通信機能を有する携帯電話装置その他の移動通信端末装置に関し、特に、文字編集時（例えば、電子メールの作成時）に用いる辞書データを容易に追加することができる移動通信端末装置に関する。
【０００２】
【従来の技術】
携帯電話装置などの移動通信端末装置を使って、場所を問わず、電子メールのやりとりが日常化しており、さらに、移動通信端末装置へのデータ入力が日常化している今日、移動通信端末装置への文字入力の迅速化、容易さは非常に重要である。
【０００３】
しかしながら、現在、携帯電話機などの移動通信端末装置に内蔵されている辞書は一般的に日常使用されている用語のみを網羅したものであり、必ずしもビジネス用にも個人用にも適応しうるものではない。特に、特定の業務や分野における専門用語はほとんど、あるいは、全く網羅されていないことも多い。
【０００４】
【発明が解決しようとする課題】
例えば、特開平７−２７３８５３号公報は、入力されたかなを漢字に変換するためのかな漢字変換辞書を有する携帯電話装置を開示している。
【０００５】
しかしながら、この携帯電話装置に内蔵されているかな漢字変換辞書は携帯電話装置を制御するプログラムと一緒にメモリ内に固定的に保持されているため、携帯電話装置を制御するプログラムを書き換えることなしには、新規の語彙を追加することができなかった。
【０００６】
携帯電話装置の使用者は、携帯電話装置に内蔵されているかな漢字変換辞書とは別の辞書を用いることも可能であるが、そのためには、その辞書を携帯電話装置に入力するための利用者の操作を伴う。さらに、登録可能な辞書の件数も限られていることから、多くの語彙を簡単に登録することはできなかった。
【０００７】
本発明は以上のような従来の移動通信端末装置における問題点に鑑みてなされたものであり、電子メールによる通信機能を有する移動通信端末装置において、文字編集の際（例えば、電子メールの通信文の作成の際）に使用する辞書であって、移動通信端末装置の使用者が所望する辞書を容易に新たに追加することを可能にする移動通信端末装置及び移動通信端末装置への辞書の追加方法を提供することを目的とする。
【０００８】
【課題を解決するための手段】
この目的を達成するため、本発明は、音声通話の機能の他に、他の媒体からデータを入力する機能（例えば、ブラウザなどのネットワークからファイルやデータをダウンロードする機能、あるいは、フレキシブルディスクその他の記憶媒体からファイルやデータを複製する機能）と、電子メールの送受信、電子メールの閲覧、電子メールのための文書作成その他の文字編集を行う機能を有する移動通信端末装置であって、文字編集（例えば、電子メール文章作成）時に使用するかな漢字変換の辞書データを他の媒体から取得でき、取得した辞書データを移動通信端末装置内のメモリに格納し、かな漢字辞書として使用する設定を行うだけで、専門用語などの語彙を容易に追加すること可能にする移動通信端末装置を提供する。
【０００９】
具体的には、本発明は、音声通話を行う機能と、他の媒体から情報を入力する機能と、電子メールによる通信を行う機能とを有する移動通信端末装置であって、前記移動通信端末装置は第一メモリ及び第二メモリを備えており、前記移動通信端末装置は前記他の媒体から入力した辞書データを前記第一メモリに記憶し、文字編集時には、前記辞書データを前記第二メモリに複製し、前記第二メモリに記憶された前記辞書データを用いるものである移動通信端末装置を提供する。
【００１０】
ここに、文字編集とは、電子メールの通信文の作成、スケジュール表への書き込み、メモ帳へのデータの書き込み、相手方の電話番号をメモリに記憶させる際にその電話番号に付す表題、など何らかの文字または記号を用いて移動通信端末装置にデータを入力する作業を指す。
【００１１】
前記他の媒体は、例えば、ネットワークであり、この場合、前記移動通信端末装置は前記ネットワークからファイルまたはデータをダウンロードし、それらのファイルまたはデータを前記第一メモリに記憶する。
【００１２】
前記他の媒体は、例えば、記憶媒体であり、この場合、前記移動通信端末装置は前記記憶媒体からファイルまたはデータを複製し、それらのファイルまたはデータを前記第一メモリに記憶する。
【００１３】
前記第一メモリに記憶された前記辞書データは、前記移動通信端末装置の使用者が前記辞書データの利用の設定を行ったときに、前記第二メモリに複製されるようにすることが好ましい。
【００１４】
また、本移動通信端末装置は、前記辞書データが不要になった場合には、前記利用の設定を解除することにより、前記辞書データは前記第二メモリから削除され、前記第一メモリにのみ残るようにすることができる。
【００１５】
さらに、本発明は、文字編集時に使用する辞書データを移動通信端末装置に入力する方法であって、入力しようとするデータが辞書データとして正しいか否かを判定する第一の過程と、前記辞書データを記憶させるための容量を第一メモリ内に確保できるか否かを判定する第二の過程と、前記データが辞書データとして正しいものであり、かつ、前記辞書データを記憶させるための容量を前記第一メモリ内に確保できる場合には、前記辞書データを前記移動通信端末装置に入力し、前記辞書データを前記第一メモリ内に記憶させる第三の過程と、前記辞書データを記憶させるための容量を第二メモリ内に確保できるか否かを判定する第四の過程と、前記辞書データを記憶させるための容量を前記第二メモリ内に確保できる場合には、前記辞書データを前記第二メモリ内に記憶させる第五の過程と、を備え、文字編集時には、前記第二メモリに記憶された前記辞書データを用いるものである方法を提供する。
【００１６】
前記第三の過程における前記辞書データの前記移動通信端末装置への入力は、例えば、前記辞書データをネットワークからダウンロードすることにより、あるいは、前記辞書データを記憶媒体から複製することにより行うことができる。
【００１７】
前記辞書データの前記第二メモリ内への記憶は、例えば、前記移動通信端末装置の使用者が前記辞書データの利用の設定を行った場合にのみ、行われるようにすることができる。
【００１８】
また、前記辞書データが不要になった場合には、前記利用の設定を解除することにより、前記辞書データは前記第二メモリから削除され、前記第一メモリにのみ残るようにすることができる。
【００１９】
なお、前記辞書データを全く使用しなくなる場合には、前記第一メモリから前記辞書データを削除することにより、同時に、前記辞書データは前記第二メモリからも削除される。
【００２０】
【発明の実施の形態】
図１は、本発明の一実施形態に係る移動通信端末装置の構造を示すブロック図である。本実施形態に係る移動通信端末装置は携帯電話装置に適用されたものである。
【００２１】
図１に示すように、本実施形態に係る移動通信端末装置１０は、本移動通信端末装置１０に対する操作を受け付けるキーボード、テンキーなどのデータ入力機器からなる操作部１１と、使用者が入力したデータまたは受信したデータを表示するための液晶表示装置からなる表示部１２と、着呼や本移動通信端末装置１０の状態変化を報知するスピーカーなどからなる報知部１３と、これらの操作部１１と表示部１２と報知部１３の動作を制御する中央処理装置（ＣＰＵ）からなる制御部１４と、音声の入出力を行う音声入出力部１５と、無線通信の送受信を行う無線信号送受信部１６と、本移動通信端末装置１０の動作に必要なプログラム１８、ダウンロードしたデータ１７（図２参照）、内蔵辞書データ１９その他の各種データを保持する第一メモリ２１と、ダウンロードしたデータ１７を複製するための第二メモリ２２と、からなる。
【００２２】
すなわち、本実施形態に係る移動通信端末装置１０は、音声通話の機能の他に、ブラウザなどのネットワークからファイルやデータをダウンロードする機能と、電子メールの送受信、電子メールの閲覧、電子メールのための文書作成その他の文字編集を行う機能とを有している。
【００２３】
図２は、第一メモリ２１及び第二メモリ２２の記憶状況を示す概略図である。
【００２４】
本移動通信端末装置１０が、使用者の要求に応じて、ネットワークを介して新たに辞書データ１７をダウンロードすると、図２に示すように、辞書データ１７は第一メモリ２１内に記憶される。
【００２５】
本移動通信端末装置１０の使用者が本移動通信端末装置１０において電子メール用の通信文を作成する場合には、後述するように、使用者が、ダウンロードした辞書データ１７を利用する旨の設定を行うと、辞書データ１７は第二メモリ２２にコピーされる。
【００２６】
この後、使用者は、第二メモリ２２にコピーされた辞書データ１７を用いて電子メール用の通信文を作成する。この場合、使用者は、本移動通信端末装置１０に元々備えられていた内蔵辞書１９の他に、新たにダウンロードした辞書データ１７を用いて、電子メール用の通信文を作成することができる。
【００２７】
図３は、本移動通信端末装置１０において新たに辞書データをダウンロードする場合の方法を示すフローチャートであり、図４は、ダウンロードした辞書データを本移動通信端末装置１０内に記憶させる過程を示すフローチャートである。以下、図３及び図４を参照して、本移動通信端末装置１０に新たに辞書データを追加する方法を説明する。
【００２８】
本移動通信端末装置１０の使用者が所望の辞書データをダウンロードしようとする際（図３のステップＡ３１）、先ず、制御部１４は、そのデータが辞書データとして正しいものであるか否かを判定する（図３のステップＡ３２）。
【００２９】
そのデータが辞書データとして正しいものである場合には（図３のステップＡ３２のＹＥＳ）、制御部１４は次に第一メモリ２１にその辞書データを格納する空き容量があるか否かを判定する（図３のステップＡ３４）。
【００３０】
第一メモリ２１にその辞書データを格納する空き容量がある場合には（図３のステップＡ３４のＹＥＳ）、制御部１４はその辞書データのダウンロードを開始する（図３のステップＡ３５）。
【００３１】
ダウンロードされた辞書データ１７は第一メモリ２１に格納される（図３のステップＡ３６）。
【００３２】
ダウンロードしようとするデータが辞書データとして正しくない場合（図３のステップＡ３２のＮＯ）、または、第一メモリ２１にその辞書データ１７を格納する空き容量がない場合には（図３のステップＡ３４のＮＯ）、ダウンロードは中止される（図３のステップＡ３３）。
【００３３】
ダウンロード終了後、制御部１４は、ダウンロードした辞書データ１７を通常使用する辞書として登録するか否かの問い合わせを本移動通信端末装置１０に対して行う（図４のステップＢ４１）。この問い合わせは、例えば、制御部１４がその旨の質問を表示部１２に表示することにより行う。
【００３４】
本移動通信端末装置１０の使用者が、操作部１１を介して、辞書データ１７を通常辞書として使用する旨の回答を行った場合（図４のステップＢ４１のＹＥＳ）、制御部１４は、第二メモリ２２にその辞書データ１７を格納する空き容量があるか否かを判定する（図４のステップＢ４２）。
【００３５】
第二メモリ２２にその辞書データ１７を格納する空き容量がある場合には（図４のステップＢ４２のＹＥＳ）、制御部１４は、その辞書データ１７を第二メモリ２２にコピーし（図４のステップＢ４３）、通常辞書としての登録を行う（図４のステップＢ４５）。
【００３６】
本移動通信端末装置１０の使用者が辞書データ１７を通常辞書として使用する旨の回答を行わなかった場合（図４のステップＢ４１のＮＯ）、または、第二メモリ２２にその辞書データを格納する空き容量がない場合（図４のステップＢ４２のＮＯ）には、制御部１４は、辞書データの第二メモリ２２へのコピーは行わない（図４のステップＢ４４）。
【００３７】
本移動通信端末装置１０の使用者が使用したい辞書として、ダウンロードされた辞書データ１７を選択した場合には、上記のようにして第二メモリ２２に登録された辞書データ１７が用いられる。第一メモリ２２に記憶された辞書データ１７は使用されない。
【００３８】
図５は、本移動通信端末装置１０の使用者が、第二メモリ２２に記憶された辞書データ１７の利用設定を解除する場合の過程を示すフローチャートである。
【００３９】
本移動通信端末装置１０の使用者が、第二メモリ２２に記憶された辞書データ１７の利用設定の解除を希望する場合には、操作部１１を介して、制御部１４に対してその旨の指示を行う（ステップＣ１１）。この指示は、例えば、操作部１１を構成する各種キーのうちの予め定められたキーを押すことにより行われる。
【００４０】
前述の指示を受けた制御部１４は、再確認のため、辞書データ１７の利用設定の解除を行ってよいか否かの問い合わせを表示部１２に表示する（ステップＣ１２）。
【００４１】
これに対して、本移動通信端末装置１０の使用者が利用設定の解除を選択した場合には（ステップＣ１２のＹＥＳ）、制御部１４は辞書データ１７を第二メモリ２２から削除する（ステップＣ１３）。
【００４２】
なお、辞書データ１７を第二メモリ２２から削除しても、辞書データ１７は第一メモリ２１には保存されたまま残る（ステップＣ１４）。これにより、辞書データ１７が将来必要になった場合には、いつでも、辞書データ１７を第二メモリ２２に複製し、辞書データ１７を再度使用することが可能である。
【００４３】
なお、辞書データ１７が不要になった場合には、辞書データ１７を第一メモリ２１から削除することにより、辞書データ１７は第二メモリ２２からも同時に削除される。すなわち、辞書データ１７は移動通信端末装置１０から消去される。
【００４４】
以上のように、本実施形態に係る移動通信端末装置１０によれば、追加の辞書データをネットワークからダウンロードすることにより、移動通信端末装置１０内の固定辞書を書き換えることなく、語彙の追加を容易に行うことができる。
【００４５】
また、辞書データをネットワークからダウンロードできるため、移動通信端末装置１０内の辞書には収納されていない変換候補を利用者自身が辞書に登録するという、従来行われていた操作を省くこともできる。
【００４６】
さらに、一旦ダウンロードされた辞書データ１７は第一メモリ２１に格納され、利用時に第二メモリ２２に複製されて使用されるため、ダウンロードした辞書データ１７の利用解除を行うことにより、第二メモリ２２から辞書データ１７を削除し、不要になった語彙をかな漢字変換の対象から容易に外すことができる。
【００４７】
また、第二メモリ２２から辞書データ１７を削除する際、同時に、内蔵辞書１９に格納されている情報を更新することも可能である。これにより、内蔵辞書１９と辞書データ１７との間の不整合を解消したり、内蔵辞書１９の内容を充実させることができる。
【００４８】
また、かな漢字変換のために検索を行う場合、制御部１４は、ダウンロードした辞書データ１７を第一メモリ２１から第二メモリ２２にコピーするという動作を覚えていて、辞書データ１７をコピーした第二メモリ２２内のみを検索する処理を行うため、かなから漢字への変換時のスピードが遅くなるという点も改善することができる。
【００４９】
上述の実施形態においては、本発明に係る移動通信端末装置を携帯電話装置に適用した例を示したが、本発明に係る移動通信端末装置は携帯形情報通信端末（ＰＤＡ：Ｐｅｒｓｏｎａｌ　Ｄｉｇｉｔａｌ　Ａｓｓｉｓｔａｎｔ）にも適用することができる。この場合の辞書データ１７はダウンロードにより入手することができるだけでなく、スマートメディアその他の記憶媒体からも入手することができる。
【００５０】
図６は、記憶媒体から辞書データ１７を移動通信端末装置に登録する場合の過程を示すフローチャートである。
【００５１】
本移動通信端末装置１０の使用者が記憶媒体に記憶されている所望の辞書データを追加辞書として使用しようとする際（図６のステップＡ５１）、先ず、制御部１４は、そのデータが辞書データとして正しいものであるか否かを判定する（図６のステップＡ５２）。
【００５２】
そのデータが辞書データとして正しいものである場合には（図６のステップＡ５２のＹＥＳ）、制御部１４は次に第一メモリ２１にその辞書データを格納する空き容量があるか否かを判定する（図６のステップＡ５３）。
【００５３】
第一メモリ２１にその辞書データを格納する空き容量がある場合には（図６のステップＡ５３のＹＥＳ）、制御部１４はその辞書データのコピーを開始する（図６のステップＡ５５）。
【００５４】
これにより、辞書データ１７は第一メモリ２１にコピーされる（図６のステップＡ５６）。
【００５５】
コピーしようとするデータが辞書データとして正しくない場合（図６のステップＡ５２のＮＯ）、または、第一メモリ２１にその辞書データ１７を格納する空き容量がない場合には（図６のステップＡ５３のＮＯ）、コピーは中止される（図６のステップＡ５４）。
【００５６】
記憶媒体から第一メモリ２１へ辞書データ１７のコピー終了後においては、図４に示した各過程と同様にして、辞書データ１７の第二メモリ２２へのコピーの可否が決められる。
【００５７】
また、本移動通信端末装置１０の使用者が第二メモリ２２に記憶された辞書データ１７の利用設定を解除する場合には、図５に示した各過程と同様にして、利用設定の解除が行われる。
【００５８】
なお、本明細書において、「記憶媒体」の語は、データを記録することができるあらゆる媒体を含むものとする。
【００５９】
記憶媒体としては、例えば、ＣＤ−ＲＯＭ（Ｃｏｍｐａｃｔ　Ｄｉｓｋ−ＲＯＭ）やＰＤなどのディスク型の記憶媒体、磁気テープ、ＭＯ（Ｍａｇｎｅｔｏ　Ｏｐｔｉｃａｌ　Ｄｉｓｋ）、ＤＶＤ−ＲＯＭ（Ｄｉｇｉｔａｌ　Ｖｉｄｅｏ　Ｄｉｓｋ−Ｒｅａｄ　Ｏｎｌｙ　Ｍｅｍｏｒｙ）、ＤＶＤ−ＲＡＭ（Ｄｉｇｉｔａｌ　Ｖｉｄｅｏ　Ｄｉｓｋ−Ｒａｎｄｏｍ　Ａｃｃｅｓｓ　Ｍｅｍｏｒｙ）、フレキシブルディスク、ＲＡＭ（Ｒａｎｄｏｍ　Ａｃｃｅｓｓ　Ｍｅｍｏｒｙ）やＲＯＭ（Ｒｅａｄ　Ｏｎｌｙ　Ｍｅｍｏｒｙ）などのメモリーチップ、ＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）、スマートメディア（登録商標）、フラッシュメモリー、コンパクトフラッシュ（登録商標）カードなどの書き換え可能なカード型ＲＯＭ、ハードディスクがあり、その他プログラム又はデータの格納に適していれば、いかなる手段も用いることができる。
【００６０】
上述の実施形態においては、第二メモリ２２にコピーされた辞書データ１７は電子メール用の通信文を作成するために用いられるものとしたが、辞書データ１７の用途は電子メール用通信文の作成に限定されるものではない。
【００６１】
例えば、移動通信端末装置１０に予め内蔵されているスケジュール表への日程の書き込み、移動通信端末装置１０に内蔵されているメモ帳への各種データの書き込み、相手方の電話番号その他のデータをメモリに記憶させる際に、その電話番号に付して、表示画面に表示させる表記名の選択、などに辞書データ１７を用いることができる。すなわち、何らかの文字あるいは記号を用いて移動通信端末装置１０にデータを入力する作業を行う際には、辞書データ１７を用いることが可能である。
【００６２】
【発明の効果】
以上のように、本発明によれば、追加したい語彙が格納された辞書データはネットワークから移動通信端末装置内にダウンロードされ、あるいは、記憶媒体から移動通信端末装置内に登録される。これにより、移動通信端末装置内に元々備えられていた固定辞書を書き換えることなく、語彙の追加を容易に行うことができる。この結果、移動通信端末装置内の固定辞書に加えて、移動通信端末装置が所望する用語を収納した追加辞書を使用することが可能になり、内蔵辞書と追加辞書の両方を検索することにより、より多くの候補を検出することができ、あるいは、専門語や流行語などの語彙を最新のものに更新することが可能になる。
【００６３】
また、辞書データをネットワークからダウンロードできるため、移動通信端末装置内の固定辞書には収納されていない変換候補を利用者自身が辞書に登録するという、従来行われていた操作を省くこともできる。
【００６４】
さらに、一旦ダウンロードされた辞書データは第一メモリに格納され、利用時に第二メモリに複製されて使用されるため、ダウンロードした辞書データの利用解除を行うことにより、第二メモリから辞書データを削除することにより、不要になった語彙をかな漢字変換の対象から容易に外すことができる。
【００６５】
さらに、辞書データは一旦第一メモリにダウンロードされ、利用シーンに応じて、第二メモリに複製して使用される。このため、ダウンロードした辞書データの利用解除を行った場合、辞書データは第二メモリから削除されるだけであり、第一メモリには記憶されたまま残る。このため、いつでも辞書データを第二メモリに再設定することができる。
【図面の簡単な説明】
【図１】本発明の一実施形態に係る移動通信端末装置の構造を示すブロック図である。
【図２】図１に示した移動通信端末装置内のメモリの記憶状況を示す概略図である。
【図３】新たに辞書データをダウンロードする場合の各過程を示すフローチャートである。
【図４】ダウンロードした辞書データを移動通信端末装置内に記憶させる場合の各過程を示すフローチャートである。
【図５】移動通信端末装置の使用者が辞書データの利用設定を解除する場合の各過程を示すフローチャートである。
【図６】記憶媒体から辞書データを移動通信端末装置に登録する場合の各過程を示すフローチャートである。
【符号の説明】
１０　本発明の一実施形態に係る移動通信端末装置
１１　操作部
１２　表示部
１３　報知部
１４　制御部
１５　音声入出力部
１６　無線信号送受信部
１８　プログラムデータ
１９　内蔵辞書
２１　第一メモリ
２２　第二メモリ
【図１】
2004005006.tif 000003
【図２】
2004005006.tif 000004
【図３】
2004005006.tif 000005
【図４】
2004005006.tif 000006
【図５】
2004005006.tif 000007
【図６】
2004005006.tif 000008
【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
他の媒体から情報を入力する機能と、電子メールによる通信を行う機能とを有する移動通信端末装置であって、
前記移動通信端末装置は第一メモリ及び第二メモリを備えており、
前記移動通信端末装置は前記他の媒体から入力した辞書データを前記第一メモリに記憶し、前記辞書データの使用時には、前記辞書データを前記第二メモリに複製し、前記第二メモリに記憶された前記辞書データを用いるものである移動通信端末装置。
【請求項２】
前記他の媒体はネットワークであり、前記移動通信端末装置は前記ネットワークからファイルまたはデータをダウンロードし、それらのファイルまたはデータを前記第一メモリに記憶するものであることを特徴とする請求項１に記載の移動通信端末装置。
【請求項３】
前記他の媒体は記憶媒体であり、前記移動通信端末装置は前記記憶媒体からファイルまたはデータを複製し、それらのファイルまたはデータを前記第一メモリに記憶するものであることを特徴とする請求項１に記載の移動通信端末装置。
【請求項４】
前記第一メモリに記憶された前記辞書データは、前記移動通信端末装置の使用者による文字編集時には、前記第二メモリに複製されることを特徴とする請求項１乃至３の何れか一項に記載の移動通信端末装置。
【請求項５】
前記辞書データが不要になった場合には、前記利用の設定を解除することにより、前記辞書データは前記第二メモリから削除され、前記第一メモリにのみ残ることを特徴とする請求項４に記載の移動通信端末装置。
【請求項６】
辞書データを移動通信端末装置に入力する方法であって、
入力しようとするデータが辞書データとして正しいか否かを判定する第一の過程と、
前記辞書データを記憶させるための容量を第一メモリ内に確保できるか否かを判定する第二の過程と、
前記データが辞書データとして正しいものであり、かつ、前記辞書データを記憶させるための容量を前記第一メモリ内に確保できる場合には、前記辞書データを前記移動通信端末装置に入力し、前記辞書データを前記第一メモリ内に記憶させる第三の過程と、
前記辞書データを記憶させるための容量を第二メモリ内に確保できるか否かを判定する第四の過程と、
前記辞書データを記憶させるための容量を前記第二メモリ内に確保できる場合には、前記辞書データを前記第二メモリ内に記憶させる第五の過程と、
を備え、
前記辞書データの使用時には、前記第二メモリに記憶された前記辞書データを用いるものである方法。
【請求項７】
前記第三の過程における前記辞書データの前記移動通信端末装置への入力は、前記辞書データをネットワークからダウンロードすることにより行われるものであることを特徴とする請求項６に記載の方法。
【請求項８】
前記第三の過程における前記辞書データの前記移動通信端末装置への入力は、前記辞書データを記憶媒体から複製することにより行われるものであることを特徴とする請求項６に記載の方法。
【請求項９】
前記辞書データの前記第二メモリ内への記憶は、前記移動通信端末装置の使用者による文字編集時に行われるものであることを特徴とする請求項６乃至８の何れか一項に記載の方法。
【請求項１０】
前記辞書データが不要になった場合には、前記利用の設定を解除することにより、前記辞書データは前記第二メモリから削除され、前記第一メモリにのみ残ることを特徴とする請求項９に記載の方法。
【手続補正２】
【補正対象書類名】明細書
【補正対象項目名】０００９
【補正方法】変更
【補正の内容】
【０００９】
具体的には、本発明は、他の媒体から情報を入力する機能と、電子メールによる通信を行う機能とを有する移動通信端末装置であって、前記移動通信端末装置は第一メモリ及び第二メモリを備えており、前記移動通信端末装置は前記他の媒体から入力した辞書データを前記第一メモリに記憶し、前記辞書データの使用時には、前記辞書データを前記第二メモリに複製し、前記第二メモリに記憶された前記辞書データを用いるものである移動通信端末装置を提供する。


【手続補正３】
【補正対象書類名】明細書
【補正対象項目名】００１３
【補正方法】変更
【補正の内容】
【００１３】
前記第一メモリに記憶された前記辞書データは、前記移動通信端末装置の使用者による文字編集時には、前記第二メモリに複製されるようにすることが好ましい。


【手続補正４】
【補正対象書類名】明細書
【補正対象項目名】００１５
【補正方法】変更
【補正の内容】
【００１５】
さらに、本発明は、辞書データを移動通信端末装置に入力する方法であって、入力しようとするデータが辞書データとして正しいか否かを判定する第一の過程と、前記辞書データを記憶させるための容量を第一メモリ内に確保できるか否かを判定する第二の過程と、前記データが辞書データとして正しいものであり、かつ、前記辞書データを記憶させるための容量を前記第一メモリ内に確保できる場合には、前記辞書データを前記移動通信端末装置に入力し、前記辞書データを前記第一メモリ内に記憶させる第三の過程と、前記辞書データを記憶させるための容量を第二メモリ内に確保できるか否かを判定する第四の過程と、前記辞書データを記憶させるための容量を前記第二メモリ内に確保できる場合には、前記辞書データを前記第二メモリ内に記憶させる第五の過程と、を備え、前記辞書データの使用時には、前記第二メモリに記憶された前記辞書データを用いるものである方法を提供する。


【手続補正５】
【補正対象書類名】明細書
【補正対象項目名】００１７
【補正方法】変更
【補正の内容】
【００１７】
前記辞書データの前記第二メモリ内への記憶は、例えば、前記移動通信端末装置の使用者による文字編集時に行われるようにすることができる。